(57)【要約】【課題】薬液濃度計において、導電率計の電極からの漏れ電流の影響を受けることなく、しかも、管路の内径が、管路内の流体の圧力や温度に起因して変動した場合であっても、濃度を高精度に検出することができる。【解決手段】薬液濃度計に通電されたときに出力される測定指令信号ＳＴに基づいて切換手段２０の可動接点を、接地される固定接点に接続することをあらわす切換指令信号ＣＳを形成し切換手段２０をオフ状態とした状態で、超音波測定がなされ、濃度演算部５６により、溶液ＳＯの濃度が、音速演算部６２からの音速をあらわすデータＤｖ、および、導電率演算部５４からの導電率をあらわすデータＤｄに基づいて算出される。【選択図】図１
2015152568.tif 000002
【特許請求の範囲】
【請求項１】
溶液の流れに沿って所定の間隔をもって流路内に配される少なくとも２以上の電極部を有する導電率計測部と、超音波を前記溶液に送信し受信する超音波送受信部とを含んでなる検出部と、
前記検出部の前記電極部を駆動する駆動回路部と、
前記検出部の導電率計側部からのデータに基づいて前記溶液の導電率を演算する導電率演算部と、
前記検出部の前記超音波送受信部からの時間データに基づいて音速を演算する音速演算部と、
前記導電率演算部からの前記溶液の導電率、および、前記音速演算部からの音速に基づいて前記溶液の濃度を演算する濃度演算部と、
前記駆動回路、前記導電率演算部、前記音速演算部、前記濃度演算部に、動作を行わせる制御部と、を備え、
前記制御部は、前記駆動回路を非作動状態とした場合、前記音速演算部に、前記超音波送受信部からの時間データに基づいて音速の演算を行わせることを特徴とする薬液濃度計。
【請求項２】
前記検出部における導電率計測部と超音波送受信部とが、前記流路に隣接して配されることを特徴とする請求項１記載の薬液濃度計。
【請求項３】
前記導電率計測部は、前記溶液の流れに沿って所定の間隔をもって流路内に配される３個の電極部を有することを特徴とする請求項１記載の薬液濃度計。
【請求項４】
前記超音波送受信部は、超音波を前記溶液の流れに対し直交する方向に、前記溶液に送信し受信することを特徴とする請求項１記載の薬液濃度計。
【発明の詳細な説明】
【技術分野】
【０００１】
本発明は、薬液濃度計に関する。
【背景技術】
【０００２】
薬液の濃度を計測する薬液濃度計としては、流体の導電率を計測する導電率計が、実用に供されている。直接印加式導電率計は、例えば、特許文献１および特許文献２にも示されるように、計測される流体が流れる管路内に、流体の流れ方向に沿って所定の間隔をもって３つの環状の電極が、流体と接触するように配置されている。３つの電極のうち中間の電極がアンプに接続され、残りの２つの電極が交流電源に接続されている。斯かる直接印加式導電率計の構成においては、交流電圧が、中間の電極と一方の端に位置する電極、および、中間の電極と他方の端に位置する電極とに並列に印加されるので並列合成抵抗が形成される。この並列合成抵抗を流れる電流が上述のアンプにより検出され電圧に変換されることによって、その流体の導電率がその電圧値に基づいて求められている。
【０００３】
また、例えば、特許文献３にも示されるように、一対の電極を管路内の液体にさらすことなく管路の外側の対向する位置に設け、一対の基準電圧電源から周波数の異なる交流電圧を電極に与え、得られた２種類の電流値と、基準電圧値と、その周波数値とにより演算処理部において演算して流体の導電率を求めるものも提案されている。
【０００４】
さらに、流体の濃度の測定において、管路内の流体の温度変化の影響を減らすように、例えば、特許文献４および特許文献５にも示されるように、流体の濃度の演算が、管路内の液体の温度を検出する温度検出器からの検出出力および導電率センサからの出力に基づいて流体の濃度について温度補償を行うこともなされている。
【０００５】
さらにまた、流体の濃度の測定の精度を高めるべく、例えば、特許文献６にも示されるように、多成分濃度計が、現像液の温度、超音波伝播速度、電磁導電率および吸光度を計測し、予め作成された所定の温度、アルカリ濃度、炭酸塩濃度および溶解樹脂濃度における超音波伝播速度と電磁導電率と吸光度との関係に基づいて現像液のアルカリ濃度、現像液中の炭酸塩濃度および溶解樹脂濃度を検出するように構成されるものが提案されている。
【０００６】
そして、例えば、特許文献７にも示されるように、濃度演算部が、超音波送受波器の検出量に基づいて演算された超音波の伝播速度、温度検出器が検出した温度、特定物性量検出器の検出した導電率に基づき各溶質の濃度を演算することも提案されている。
【先行技術文献】
【特許文献】
【０００７】
【特許文献１】特開平９−３２９６３３号公報
【特許文献２】特開２００５−２４１５９０号公報
【特許文献３】特開平３−２６１８７２号公報
【特許文献４】特開２００５−１８９２０７号公報
【特許文献５】特開２００２−２３６１０３号公報
【特許文献６】特開２００８−２８３１６２号公報
【特許文献７】特開２００６−１８４２５８号公報
【発明の概要】
【発明が解決しようとする課題】
【０００８】
上述の特許文献６および特許文献７に示されるように、導電率計の出力および超音波送受波器（振動子）から得られる超音波の伝播速度に基づいて濃度を測定する場合、導電率計および超音波送受波器（振動子）が同時に作動状態とされるとき、導電率計の電極からの漏れ電流が、ノイズとして超音波送受波器（振動子）から得られる出力に悪影響を及ぼし、流体の濃度の検出精度が低下する虞がある。また、上述のような導電率計により測定される流体の導電率は、複数の電極間に構成される管路の内径及び電極相互間の距離に依存する。Ｒ=ρ・ｄ/Ｓ（但し、Ｒ：抵抗値、ρ：抵抗率、ｄ：抵抗通路の長さ、Ｓ：抵抗通路の断面積）、および、σ＝１／Ｒ・セル定数（σ：導電率）という関係式により、測定される流体の導電率は、管路の横断面積および電流が流れる通路の長さによって変化するためである。即ち、管路の内径及び複数の電極相互間の距離が、管路内流体の圧力や温度に起因して変動した場合、得られた導電率の精度が低下する虞もある。
【０００９】
以上の問題点を考慮し、本発明は、薬液濃度計であって、導電率計の電極からの漏れ電流の影響を受けることなく、しかも、管路の内径が、管路内の流体の圧力や温度に起因して変動した場合であっても、濃度を高精度に検出することができる薬液濃度計を提供することを目的とする。
【課題を解決するための手段】
【００１０】
上述の目的を達成するために、本発明に係る薬液濃度計は、溶液の流れに沿って所定の間隔をもって流路内に配される少なくとも２以上の電極部を有する導電率計測部と、超音波を溶液に送信し受信する超音波送受信部とを含んでなる検出部と、検出部の電極部を駆動する駆動回路部と、検出部の導電率計側部からのデータに基づいて溶液の導電率を演算する導電率演算部と、検出部の超音波送受信部からの時間データに基づいて音速を演算する音速演算部と、導電率演算部からの溶液の導電率、および、音速演算部からの音速に基づいて溶液の濃度を演算する濃度演算部と、駆動回路、導電率演算部、音速演算部、濃度演算部に、動作を行わせる制御部と、を備え、制御部は、駆動回路を非作動状態とした場合、音速演算部に、超音波送受信部からの時間データに基づいて音速の演算を行わせることを特徴とする。
【発明の効果】
【００１１】
本発明に係る薬液濃度計によれば、制御部は、駆動回路を非作動状態とした場合、音速演算部に、超音波送受信部からの時間データに基づいて音速の演算を行わせるので導電率計の電極からの漏れ電流の影響を受けることなく、しかも、濃度演算部が、導電率演算部からの溶液の導電率、および、音速演算部からの音速に基づいて溶液の濃度を算出するので管路の内径が、管路内の流体の圧力や温度に起因して変動した場合であっても、濃度を高精度に検出することができる。
【図面の簡単な説明】
【００１２】
【図１】（Ａ）は、本発明に係る薬液濃度計の一例を、制御ユニット部とともに示すブロック図であり、（Ｂ）は、図１（Ａ）に示される非反転増幅回路を示す回路図である。
【図２】液温に応じた導電率、音速、濃度との関係を示す特性図である。
【図３】図２に示される特性図における導電率、音速、濃度、温度の関係をあらわす表である。
【図４】濃度に応じた液温ごとの導電率、音速との関係を示す特性図である。
【図５】図１に示される制御ユニット部が、マイクロコンピュータにより構成された場合、制御ユニット部が実行するプログラムを示すフローチャートである。
【図６】図１に示される制御ユニット部が、マイクロコンピュータにより構成された場合、制御ユニット部が実行するプログラムを示すフローチャートである。
【図７】図１に示される制御ユニット部が、マイクロコンピュータにより構成された場合、制御ユニット部が実行するプログラムを示すフローチャートである。
【発明を実施するための形態】
【００１３】
図１は、本発明に係る薬液濃度計の一例の構成を、制御ブロックとともに示す。
【００１４】
図１に示される薬液濃度計の検出部１０は、例えば、矢印が示す方向に沿って所定の溶液ＳＯが供給される配管の所定の中継地点に接続されている。検出部１０は、外郭部を形成するハウジングと、そのハウジング内に配され上述の配管に一端が接続される一対の接続パイプと、３つの電極プレート１２Ａ、１２Ｂ，および、１２Ｃと、超音波送受信部と、を主な要素として含んで構成されている。
【００１５】
検出部１０において、配管内に連通する溶液ＳＯの流路は、上述の一対の接続パイプの内周部と、電極プレート１２Ａ、１２Ｂ，および、１２Ｃの孔と、により形成されている。
【００１６】
検出部１０において、電極プレート１２Ａ、１２Ｂ，および、１２Ｃは、それぞれ、所定の間隔をもって溶液ＳＯの流れ方向に沿って流路内に配される。検出部１０における電極プレート１２Ｂは、例えば、所謂、プラス電極とされ、一方、電極プレート１２Ａ、および、電極プレート１２Ｃは、それぞれ、マイナス電極とされる。電極プレート１２Ｂは、後述する交流発生回路１８に切換手段２０を介して接続された非反転増幅回路２２に接続されている。電極プレート１２Ａ、および、電極プレート１２Ｃは、それぞれ、接地されている。斯かる構成において、後述するように、交流電圧が、中間の電極プレート１２Ｂと一方の端に位置する電極プレート１２Ａ、および、中間の電極プレート１２Ｂと他方の端に位置する電極プレート１２Ｃとに並列に印加されるので並列合成抵抗が形成される。この並列合成抵抗Ｒ１を流れる電流が後述の非反転増幅回路２２のオペアンプ２２ａ（図１（Ｂ）参照）により検出され電圧に変換される。これにより、溶液ＳＯの濃度に基づく並列合成抵抗Ｒ１の変動に応じた電流値の変化が出力電圧の変化として得られる。
【００１７】
超音波送受信部は、振動子の発信部１４Ｔと、振動子の受信部１４Ｒとから構成されている。発信部１４Ｔは、溶液ＳＯを挟んで受信部１４Ｒに向かい合うように配置されている。なお、発信部１４Ｔは、斯かる例に限られることなく、受信部１４に対し所定の角度で互いに斜め位置となるように配置されてもよい。
【００１８】
本発明に係る薬液濃度計の一例において、斯かる検出部１０に、加えて、図１に示されるような、制御ブロックを備えている。
【００１９】
制御ブロックは、交流発生回路１８および直流発生回路（不図示）に接続されている。交流発生回路１８は、切換手段２０を介して非反転増幅回路２２のオペアンプ２２ａの入力端子（＋）（図１（Ｂ）参照）に接続されている。切換手段２０は、後述する切換制御部６６からの切換指令信号ＣＳに基づいて制御される。切換手段２０は、例えば、交流発生回路１８と非反転増幅回路２２との間を選択的に開状態とする、あるいは、電極プレート１２Ｂと非反転増幅回路２２との間を選択的に開状態とするアナログスイッチ、トランジスタにより構成されてもよい。また、切換手段２０は、交流発生回路１８に電力を供給する電源を選択的にオフ状態とするもの、あるいは、交流発生回路１８からの信号を選択的に発生させないように構成されるものでもよい。さらに、切換手段２０は、電極プレート１２Ａ、および、電極プレート１２Ｂ相互間、および、電極プレート１２Ｂ、および、電極プレート１２Ｃ相互間を選択的に短絡させるものであってもよい。
【００２０】
非反転増幅回路２２のオペアンプ２２ａの入力端子（−）は、図１（Ｂ）に示されるように、上述した並列合成抵抗Ｒ１に接続されるとともに、オペアンプ２２ａの入力端子（＋）は、切換手段２０を介して交流発生回路１８に接続されている。オペアンプ２２ａの出力端子には、フィードバック抵抗Ｒ２の一端が接続されている。フィードバック抵抗Ｒ２の他端は、並列合成抵抗Ｒ１の接続端に接続されている。並列合成抵抗Ｒ１は、検出部１０における溶液ＳＯの濃度の変化に応じて変化することとなる。これにより、非反転増幅回路２２のオペアンプ２２ａからの出力電圧Ｖｏｕｔと、交流発生回路１８からの入力電圧Ｖｉｎとの間には、以下の式（１）に示される関係がある。
Ｖｏｕｔ＝（１＋Ｒ２／Ｒ１）Ｖｉｎ      …（１）
【００２１】
非反転増幅回路２２は、整流回路２４および増幅回路２６を介して後述する制御ユニット部５０の入力部に接続されている。これにより、オペアンプ２２ａからの出力電圧Ｖｏｕｔが、整流回路２４に供給され、直流に変換された後、増幅回路２６を介して増幅されることにより、並列合成抵抗Ｒ１の値の変化に応じた電圧値をあらわす信号Ｓｒが、制御ユニット５０の入力部に供給される。
【００２２】
超音波送受信部における振動子の発信部１４Ｔは、送信回路２８を介して制御ユニット５０における発振器６４に接続されている。発振器６４は、所定の駆動パルス信号Ｐａを形成し、それを送信回路２８に供給する。送信回路２８は、所定の駆動パルス信号Ｐａに基づいて駆動制御信号（発振信号）Ｄｃを形成し発信部１４Ｔに供給する。これにより、発信部１４Ｔは、駆動制御信号（発振信号）Ｄｃに基づいて管路内の溶液ＳＯに向けて超音波信号を送出する。振動子の受信部１４Ｒは、超音波信号を受信し到達時間をあらわす検出出力Ｓｃを形成し、それを受信回路３０に供給する。受信回路３０は、受信部１４Ｒからの検出出力Ｓｃを電気信号に変換し増幅回路３２を介して検波平滑整形回路３４に供給する。これにより、検波平滑整形回路３４は、増幅された出力信号Ｓｃに基づいて矩形波のパルス信号を形成し、それを積分器３６に供給する。積分器３６において、所定のタイミングでその信号の立上がりおよび立下りのエッジ検出がなされ得ることとなる。即ち、積分器３６は、パルス信号の時間を拡大する回路になっており、機能としては、エッジ検出が始まってから積分器内部のコンデンサが放電するまでの時間、電流を流し続け、放電が終了次第、積分器３６に内蔵されたコンパレータよりストップパルス信号Ｐｔを出力している。例えば、そのようなコンパレータがコンデンサに対し充電抵抗および放電抵抗が接続された構成である場合、充電抵抗値が放電抵抗値に比べてかなり小さいとき、コンデンサに急激に充電された後、徐々に放電されることとなる。なお、積分器３６の応答時間を早める方法としては、検波・平滑整形回路３４から積分器３６への入力ポートの他に、信号を逃がす分岐回路を作り、制御ユニットによりその分岐回路が所定時間経過後、積分器３６に信号を供給するように分岐回路が制御されてもよい。積分器３６が信号のエッジ検出をするまで時間があるのでその時間を逆算して、検波・平滑整形回路３４からの信号をその時間だけ積分器３６に入力しないという方法がとられてもよい。
【００２３】
積分器３６からのストップパルス信号Ｐｔは、制御ユニット５０のカウンタ６０に供給されることとなる。カウンタ６０は、発振器６４からの駆動パルス信号Ｐａのスタートパルスから積分器３６からのストップパルス信号Ｐｔを得るまでの時間を、所定のクロックパルスで計数することとなる。
【００２４】
制御ユニット部５０は、増幅回路２６からの電圧値をあらわす信号Ｓｒをデジタル変換するＡ／Ｄ変換部５２と、Ａ／Ｄ変換部５２からの電圧値をあらわすデータＤｒに基づいて導電率を演算する導電率演算部５４と、上述のカウンタ６０と、カウンタ６０からの計数値をあらわすデータに基づいて音速を演算する音速演算部６２と、導電率演算部５４からの導電率をあらわすデータＤｄと、音速演算部６２からの音速をあらわすデータＤｖとに基づいて溶液ＳＯの濃度を演算する濃度演算部５６と、上述の発振器６４と、切換制御部６６と、を含んで構成されている。また、制御ユニット５０は、電極プレート１２Ａ、１２Ｂ，および、１２Ｃのセル定数（電流流路長／横断面積）をあらわすデータ、接続パイプの内周部の内径（音波の伝播距離）をあらわすデータ、各温度における導電率、および音速を参照することにより、それらと濃度又は温度との関係をあらわすルックアップテーブルデータ、導電率の演算プログラム、音速の演算プログラム、濃度の演算プログラムをあらわすデータ、および、他のデータ等を格納するデータ記憶部５８を備えている。
【００２５】
切換制御部６６は、薬液濃度計の電源がオン状態とされ、所定時間経過後、図示が省略される他の制御部から出力される測定開始指令信号ＳＴに基づいて切換手段２０の可動接点を接地される固定接点に接続することをあらわす切換指令信号ＣＳを形成し切換手段２０に送出する。また、切換制御部６６は、超音波測定サブルーチンのプログラムの終了信号に基づいて切換手段２０の可動接点を交流発生回路１８に接続される固定接点に接続することをあらわす切換指令信号ＣＳを形成し切換手段２０に送出する。
【００２６】
なお、斯かる例に限られることなく、図示が省略される薬液濃度計の操作スイッチからの測定開始指令信号ＳＴに基づいて切換手段２０の可動接点を接地される固定接点に接続することをあらわす切換指令信号ＣＳを形成するように構成されてもよい。
【００２７】
制御ユニット部５０は流路内の溶液ＳＯの濃度を算出するにあたり、音速演算部６２が、カウンタ６０からの計数値および接続パイプの内周部の内径（音波の伝播距離）に基づいて音速を演算し、音速をあらわすデータＤｖを濃度演算部５６に供給する。次に、導電率演算部５４が、Ａ／Ｄ変換部５２からの電圧値をあらわすデータＤｒ、および、データ記憶部５８に格納される抵抗値、これら２つの相互関係をあらわすテーブルデータまたは演算式に基づいて抵抗値を算出する。そして、導電率演算部５４は、得られた抵抗値の逆数とセル定数とを乗算することにより、溶液ＳＯの導電率を演算し、溶液ＳＯの導電率をあらわすデータＤｄを濃度演算部５６に供給する。濃度演算部５６は、音速をあらわすデータＤｖに基づく音速（ｍ／ｓ）および溶液ＳＯの導電率をあらわすデータＤｄに基づき図２および図３に示されるマップを参照することにより、温度（℃）および濃度（ｗｔ％）を算出する。なお、温度（℃）および濃度（ｗｔ％）を算出するにあたり、温度と導電率および音速との関係式、あるいは、濃度と導電率および音速との関係式により、演算されてもよい。また、濃度は、音速から算出された温度と、導電率とに基づいて演算されてもよい。
【００２８】
図２は、縦軸に、各濃度の導電率（σ）、音速（ｖ）をとり、横軸に、液温（ｔ）をとり、温度（ｔ１〜ｔ３）に応じた各濃度（ｍ１、ｍ２、ｍ３）ごとの導電率（σ１〜σ９）の変化、および、各濃度ごとの音速（ｖ１〜ｖ９）の変化を示す。
【００２９】
上述の例のように、濃度が音速および導電率に基づいて算出される場合、以下の理由により、濃度は、温度または圧力に起因した流路における半径方向の変形の影響が少なく、精度よく測定できるという効果がある。
【００３０】
図４に示されるように、濃度（ｍ）と、導電率（σ）、音速（Ｖ）との関係は、１次式の近似式であらわすことができる。図４は、縦軸に導電率（σ）、音速Vをとり、横軸に濃度（m）をとり、濃度に応じた液温（ｔ１、ｔ２、ｔ３、ｔ４、ｔ５）ごとの導電率、音速との関係を示す。液温ｔ５の値は、他の液温（ｔ１、ｔ２、ｔ３、ｔ４）の値よりも高く、液温ｔ１の値は、他の液温（ｔ２、ｔ３、ｔ４）の値よりも低い。液温ｔ２、ｔ３、ｔ４の値の間には、ｔ２＜ｔ３＜ｔ４という関係がある。また、導電率σa〜σｆの値の大小関係は、σａ＞σｂ＞σｃ＞σｄ＞σｅ＞σｆという関係がある。さらに、音速Ｖａ〜Ｖｈの値の大小関係は、Ｖａ＞Ｖｂ＞Ｖｃ＞Ｖｄ＞Ｖｅ＞Ｖｆ＞Ｖｇ＞Ｖｈという関係がある。そして、濃度ｍａ〜ｍｂの値の大小関係は、ｍａ＞ｍｂ＞ｍｃ＞ｍｄ＞ｍｅという関係がある。
【００３１】
また、温度（ｔ）と、導電率（σ）、音速（ｖ）との関係は、同様に、下記のような１次式の近似式であらわすことができる。
σ＝ａｍ＋Ｚ１＝ｃｔ＋Ｚ３    …（２）
Ｖ＝ｂｍ＋Ｚ２＝ｄｔ＋Ｚ４    …（３）
但し、ａ、ｂ、ｃ、ｄ、Ｚ１、Ｚ２、Ｚ３、Ｚ４は、それぞれ、係数である。
（２）式、（３）式により、以下の式が得られる。但し、ｅ，ｆは、係数である。
σ＝ａｍ−ｃｔ＋ｅ  …（４）
Ｖ＝−ｂｍ＋ｄｔ＋ｆ  …（５）
（４）式、（５）式により、以下の式が得られる。
ｍ＝ｐσ＋ｑＶ＋ｒ＝−ｐσ−ｑＶ−ｒ  …（６）
【００３２】
ここで、流路における内径が大きくなった場合、電流通過面積が大きくなるから電流が流れやすくなるので導電率（σ）は大となり、伝搬距離が長くなるから伝搬時間は長くなるので音速（Ｖ）は小となる。即ち、（６）式より、流路の内径が大きくなる場合、導電率（σ）が大となり、音速（Ｖ）は、小となる。即ち、流路の内径が大きくなる場合、導電率（σ）が大となり、音速（Ｖ）は、小となるので濃度の変化量が少なくなり、従って、濃度は、温度または圧力に起因した流路における半径方向の変形の影響が少なく、精度よく測定できるという効果がある。検出部１０において、図１に示されるように、電極プレート１２Ａ、１２Ｂ，および、１２Ｃと、超音波式音速検出部における振動子の発信部１４Ｔとが、互いに隣接して配置されているので管路内における電極プレート１２Ａ、１２Ｂ，および、１２Ｃ、および、振動子の発信部１４Ｔに作用する圧力がほぼ同等となる。これにより、流路の内径における圧力による変化量が異なることが回避されるので濃度のばらつきも回避されることとなる。
【００３３】
制御ユニット５０は、例えば、マイクロコンピュータにより構成され、斯かるマイクロコンピュータが実行するプログラムを図５乃至図７を参照して説明する。
【００３４】
図５において、制御ユニット５０は、プログラムをスタート後、ステップＳＡ１で各パラメータについて初期設定を行い、次に、ステップＳＡ２に進み、薬液濃度計の電源がオン状態とされたとき、所定時間経過後、出力される測定開始指令信号ＳＴに基づいて切換手段２０の可動接点を、接地される固定接点に接続することをあらわす切換指令信号ＣＳを形成し切換手段２０をオフ状態とする。これにより、導電率センサを形成する電極プレート１２Ａ、１２Ｂ，および、１２Ｃが非作動状態とされる。従って、電極プレート相互間に電流が流れないので導電率計測のために溶液ＳＯに流す電流がノイズ源となり、音速計測の誤差が発生することが回避される。
【００３５】
続いて、ステップＳＡ３において、超音波測定プログラムを実行し、ステップＳＡ４に進み、超音波測定サブルーチンのプログラムの終了信号に基づいて切換手段２０の可動接点を交流発生回路１８に接続される固定接点に接続することをあらわす切換指令信号ＣＳを形成し切換手段２０に送出する。続くステップＳＡ５において、導電率測定プログラムを実行し、ステップＳＡ６に進み、濃度演算を行い、続くステップＳＡ７において濃度をあらわすデータＤＣを出力し、ステップＳＡ２に戻り、それ以降、同様のステップを実行する。
【００３６】
ステップＳＡ３においては、図６に示されるように、スタート後、ステップＳＢ１において、送信回路２８は、所定の駆動パルス信号Ｐａに基づいて駆動制御信号Ｄｃを形成し発信部１４Ｔに供給し、次に、ステップＳＢ２において、カウンタ６０が、発振器６４からの駆動パルス信号Ｐａのスタートパルスから積分器３６からのストップパルス信号Ｐｔをカウンタが得るまでの時間を、所定のクロックパルスで計数し、続くステップＳＢ３において、得られた計数値に基づいて音速を算出し、プログラムを終了し、終了信号を送出する。
【００３７】
ステップＳＡ５においては、図７に示されるように、スタート後、ステップＳＣ１において、データＤｒを取り込み、次に、ステップＳＣ２において、データＤｒに基づく抵抗値、および、セル定数により導電率を演算し、プログラムを終了する。
【符号の説明】
【００３８】
１０    検出部
１２Ａ、１２Ｂ、１２Ｃ    電極プレート
１４Ｔ    発信部
１４Ｒ    受信部
２０    切換手段
５０    制御ユニット部
５４    導電率演算部
５６    濃度演算部
６２    音速演算部
【図１】
2015152568.tif 000003
【図２】
2015152568.tif 000004
【図３】
2015152568.tif 000005
【図４】
2015152568.tif 000006
【図５】
2015152568.tif 000007
【図６】
2015152568.tif 000008
【図７】
2015152568.tif 000009